(57)【要約】【課題】原稿載置部を起こして、読取部を開いたとき、原稿載置部と圧板部とが倒れないようにすること。【解決手段】画像読取装置２は、原稿載置部２２０の上フレームの後端部２２０Ａａを回動可能に支持して、原稿載置部２２０を読取部２１０に対して開閉可能にする原稿台ヒンジ２３０と、原稿載置部に載置された原稿を原稿載置部に押圧する圧板部３０の後端部３０ａを回動自在に支持して、圧板部を原稿載置部に対して開閉可能にする圧板ヒンジ４０Ｂ，４０Ａと、読取部を開いた状態の原稿載置部と圧板部とを連結して、原稿載置部と圧板部とを読取部から離間した状態に保持し、かつ連結が解除可能な連結部５０とが、三角形の各頂点の位置に位置しているため、原稿載置部と圧板部との倒れが防止される。【選択図】図５
2016006928.tif 000002
【特許請求の範囲】
【請求項１】
原稿を読み取る読取部と、
前記読取部の上方に配置されて、前記読取部によって読み取られる原稿が載置される原稿載置部と、
前記原稿載置部の一端部を回動可能に支持して、前記原稿載置部を前記読取部に対して開閉可能にする第１の支持部と、
前記原稿載置部の上方に配置されて、前記原稿載置部に載置された原稿を前記原稿載置部に押圧する原稿押圧部と、
前記第１の支持部と異なる位置で前記原稿押圧部の一端部を回動自在に支持して、前記原稿押圧部を前記原稿載置部に対して開閉可能にする第２の支持部と、
前記読取部を開いた状態の前記原稿載置部と前記原稿押圧部とを連結する連結部と、を備えた、
ことを特徴とする画像読取装置。
【請求項２】
前記連結部によって連結された前記原稿載置部と前記原稿押圧部は回動が規制される、
ことを特徴とする請求項１に記載の画像読取装置。
【請求項３】
前記連結部は、前記読取部を開いた状態の前記原稿載置部と前記原稿押圧部とが接触する部分を連結する、
ことを特徴とする請求項１又は２に記載の画像読取装置。
【請求項４】
前記連結部は、
前記原稿載置部に設けられた係合部材と、
前記読取部に設けられて、前記原稿載置部が前記読取部を閉めた状態において、前記係合部材が係脱可能に係合する第１の被係合部と、
前記原稿押圧部に設けられて、前記原稿載置部が前記読取部を開いた状態において、前記係合部材が係脱可能に係合する第２の被係合部と、を備えた、
ことを特徴とする請求項１乃至３のいずれか１項に記載の画像読取装置。
【請求項５】
原稿の画像を読み取る画像読取装置と、
前記画像読取装置が読み取った画像をシートに形成する画像形成部と、を備え、
前記画像読取装置は、請求項１乃至４のいずれか１項に記載の画像読取装置である、
ことを特徴とする画像形成装置。
【発明の詳細な説明】
【技術分野】
【０００１】
本発明は、画像読取装置と、この画像読取装置を装置本体に備えた画像形成装置とに関する。
【背景技術】
【０００２】
従来、画像形成装置は、画像読取装置で読み取った原稿の画像を、画像形成部としての装置本体でシートに複写するようになっている。画像形成装置としては、複写機、プリンタ等がある。
【０００３】
画像読取装置として、装置本体に開閉可能に設けられているのがある（特許文献１）。この画像読取装置は、原稿が載置される原稿台と、原稿台に原稿を押圧する圧板部とを備えている。原稿台には、原稿を読み取る読取部が内部に設けられている。そして、画像読取装置は、装置本体のメンテナンス時に、原稿台と圧板部との両方を開いたとき、圧板部を開き過ぎて圧板部が後方の壁（記録ユニットの給紙部トレー等）に当たるおそれがある。このため、この画像読取装置は、原稿台と圧板部を両方開いたとき、圧板部と原稿台とをレバーで連結して、圧板部が原稿台から離れて、後方の壁に当たらないようになっている。
【先行技術文献】
【特許文献】
【０００４】
【特許文献１】特開２０１２−３３９９２号公報
【発明の概要】
【発明が解決しようとする課題】
【０００５】
ところで、原稿台の内部をメンテナンスする必要が生じた場合、上フレーム（原稿載置部）と下フレーム（読取部）とからなる原稿台の上フレームを下フレームから取り外して、下フレームの内部を開放する必要がある。この場合、上フレームを起こして、圧板部（原稿押圧部）とレバーによって重なった状態に保持しても、上フレームと圧板部との開角度によっては、上フレームと圧板部とが元の位置に倒れるおそれがある。このため、従来の画像読取装置は、メンテナンスを行いにくいことがあった。
【０００６】
本発明は、原稿載置部を起こして、読取部を開いたとき、少なくとも原稿載置部が倒れないようにした画像読取装置と、この画像読取装置を装置本体に備えた画像形成装置とを提供することにある。
【課題を解決するための手段】
【０００７】
本発明の画像読取装置は、原稿を読み取る読取部と、前記読取部の上方に配置されて、前記読取部によって読み取られる原稿が載置される原稿載置部と、前記原稿載置部の一端部を回動可能に支持して、前記原稿載置部を前記読取部に対して開閉可能にする第１の支持部と、前記原稿載置部の上方に配置されて、前記原稿載置部に載置された原稿を前記原稿載置部に押圧する原稿押圧部と、前記第１の支持部と異なる位置で前記原稿押圧部の一端部を回動自在に支持して、前記原稿押圧部を前記原稿載置部に対して開閉可能にする第２の支持部と、前記読取部を開いた状態の前記原稿載置部と前記原稿押圧部とを連結する連結部と、を備えた、ことを特徴としている。
【０００８】
本発明の画像形成装置は、原稿の画像を読み取る画像読取装置と、前記画像読取装置が読み取った画像をシートに形成する画像形成部と、を備え、前記画像読取装置は、上記の画像読取装置である、ことを特徴としている。
【発明の効果】
【０００９】
本発明の画像読取装置は、読取部と原稿載置部と原稿押圧部とを、互いに位置の異なる第１の支持部と第２の支持部と連結部との３箇所で連結しているので、原稿載置部と原稿押圧部とが倒れることなく、容易にメンテナンスを行うことができる。また、本発明の画像読取装置は、原稿載置部と原稿押圧部とが、メンテナンス中に倒れることが防止されているので、倒れることによって発生する損傷を未然に防ぐことができる。
【００１０】
本発明の画像読取装置は、原稿載置部と原稿押圧部との損傷を未然に防ぐことができる画像読取装置を備えているので、長期間使用することができる。
【図面の簡単な説明】
【００１１】
【図１】本発明の実施形態における画像形成装置の外観斜視図である。
【図２】本発明の実施形態の画像読取装置において、圧板部を開いたときの、画像読取装置の外観斜視図である。
【図３】図２の画像読取装置において、さらに上フレームを開いたときの、画像読取装置の外観斜視図である。
【図４】図１における、画像形成装置の画像読取装置のみの側面図である。
【図５】図３の画像読取装置の左側面図である。
【図６】図５のＪ−Ｊ矢視断面図である。
【図７】図２乃至図６の連結部と構成の異なる連結部の図である。
【図８】図２乃至図７の連結部と構成の異なる連結部の図である。
【図９】図２乃至図８の連結部と構成の異なる連結部を備えた画像読取装置であり、圧板部を開いた画像読取装置の外観斜視図である。
【図１０】図９の画像読取装置において、さらに上フレームを開いたときの、画像読取装置の外観斜視図である。
【図１１】図１０のＱ矢視図である。
【図１２】図２乃至図８の連結部と構成の異なる連結部の図であり、（Ａ）は、図９において、Ｒ−Ｒ矢視断面図である。（Ｂ）は、（Ａ）の連結フックの斜視図である。
【図１３】（Ａ）は、被係合片の斜視図である。（Ｂ）は、（Ａ）の被係合片に係合する向きに向いた連結フックの斜視図である。
【図１４】図１０のＫ−Ｋ矢視断面図である。（Ａ）は、連結フックが被係合片に係合する前の図である。（Ｂ）は、連結フックが被係合片に係合した図である。
【発明を実施するための形態】
【００１２】
以下、本発明の実施形態の画像読取装置と、この画像読取装置を装置本体に備えた画像形成装置とを図面に基づいて説明をする。
【００１３】
（画像形成装置）
図１に示すように画像形成装置１は、装置本体１Ａと、装置本体１Ａの上部に設けられた画像読取装置２とで形成されている。装置本体（画像形成部）１Ａは、画像読取装置２が読み取った原稿の画像をシートに複写する所謂プリンタ部である。なお、装置本体１Ａは、外部のファクシミリ、パソコン等の外部機器から送信されてくる画像情報に基づいてシートに画像を形成することもできる。装置本体１Ａは、公知である。このため、装置本体１Ａの内部構造の説明は省略する。
【００１４】
（画像読取装置）
図２において、画像読取装置２は、原稿台２０、圧板部３０、圧板ヒンジ４０Ａ，４０Ｂ、原稿台ヒンジ２３０（図３）、連結部５０等で構成されている。原稿台２０は、ユーザによって載置された原稿を読み取る部分である。圧板部３０は、原稿台２０の上に重なって、原稿台２０に載置された原稿を原稿台２０に押圧する平板状のユニットである。圧板ヒンジ（第２の支持部）４０Ａ，４０Ｂは、圧板部３０の後端部（一端部）３０ａを原稿台２０の読取部の下フレームの後端部２１０Ａａに回動可能に支持して、圧板部３０を原稿台２０に開閉可能に連結している。圧板部３０の開閉方向は、矢印Ａ，Ｂ方向である。圧板部３０の原稿台２０に対向する部分３０ｂには、原稿を原稿台２０に押圧する弾性を有する白色板３１が設けられている。
【００１５】
なお、読取部２１０の下フレーム２１０Ａは、画像形成装置の装置本体１Ａに固定された固定部材である。このため、圧板ヒンジ４０Ａ，４０Ｂは、下フレーム２１０Ａの後端部２１０Ａａの代わりに、不図示の固定部材に回動可能に支持されていてもよい。
【００１６】
図３において、原稿台２０は、読取部２１０と、原稿載置部２２０と、原稿台ヒンジ２３０等で構成されている。読取部２１０は、原稿を読み取る部分であり、下フレーム２１０Ａを有している。下フレーム２１０Ａ内には、左右方向を向いたガイド軸２１１と、ガイド軸２１１に沿って循環する無端状のベルト２１２と、読取センサ２１３とが設けられている。読取センサ２１３は、ベルト２１２に接続されて、ガイド軸２１１の案内とベルト２１２の循環とによって、矢印Ｃ，Ｄ方向に移動するようになっている。ベルト２１２は、不図示のモータによって循環するようになっている。
【００１７】
原稿載置部２２０は、読取部２１０の上に重なって、読取部２１０によって読み取られる原稿が載置される原稿台ガラス２２１と、原稿台ガラス２２１を上部に設けられた上フレーム２２０Ａとを有している。上フレーム２２０Ａは、下フレーム２１０Ａを覆って収納できる形状に形成されている。原稿台ヒンジ（第１の支持部）２３０は、上フレーム２２０Ａの後端部（一端部）２２０Ａａを下フレーム２１０Ａの後端部２１０Ａａに回動可能に支持して、原稿載置部２２０を読取部２１０に開閉可能に連結している。原稿載置部２２０の開閉方向は、矢印Ｅ，Ｆ方向である。読取部２１０を閉めた原稿載置部２２０は、組立ビス６０（図２）によって読取部２１０と一体化されるようになっている。なお、圧板ヒンジ４０Ａ，４０Ｂは、図４、図５に示すように、原稿台ヒンジ２３０の後方（奥側）で、かつ原稿台ヒンジ２３０より上方に位置している。
【００１８】
図４に示すように、画像読取装置２を使用しないとき、原稿台２０に圧板部３０がかさなっている。図３、図５に示すように、上フレーム２２０Ａで下フレーム２１０Ａを開けられるようになっているのは、下フレーム２１０Ａ内のメンテナンスを行うためである。圧板部３０を圧板ヒンジ４０Ａ，４０Ｂを中心に矢印Ａ方向に回動させ、上フレーム２２０Ａを、原稿台ヒンジ２３０を中心に矢印Ｅ方向に回動し、下フレーム２１０Ａを開いたときも、両方の部材は重なっている（接触している）。このように、上フレーム２２０Ａと圧板部３０が重なって回動できるように、圧板ヒンジ４０Ａ，４０Ｂの位置は、上フレーム２２０Ａと圧板部３０との厚みを考慮して、原稿台ヒンジ２３０の後方で、かつ原稿台ヒンジ２３０より上方に設定されている。
【００１９】
下フレーム２１０Ａ内のメンテナンスは、圧板部３０と上フレーム２２０Ａを図３、図５の位置より奥側に倒した方が行い易い。しかし、奥側に壁や他の事務機器等が有ると、圧板部３０と上フレーム２２０Ａを奥側に倒すことができない。このため、圧板部３０と上フレーム２２０Ａを図３、図５のように、略垂直に立ててメンテナンスを行わなければならいことがある。しかし、この場合には、圧板部３０と上フレーム２２０Ａが手前側（矢印Ｂ，Ｆ方向）に倒れるおそれがある。
【００２０】
そこで、本実施形態の画像読取装置２は、圧板部３０と上フレーム２２０Ａとを連結部５０で互いに連結して、圧板部３０と上フレーム２２０Ａが手前側（矢印Ｂ，Ｆ方向）に倒れないようにしている。すなわち、連結部５０は、読取部２１０を開いた状態の原稿載置部２２０と圧板部（原稿押圧部）３０とを連結して、原稿載置部２２０と圧板部３０とを読取部２１０から離間した状態に保持し、かつその連結が解除可能な構成になっている。連結部５０は、圧板部３０と、上フレーム２２０Ａの両脇に設けられている（片方は図示省略）が、一方の脇だけに設けられていてもよい。
【００２１】
図６に示すように、連結部５０は、圧板部係合片５１と上フレーム突片５２とで構成されている。圧板部係合片５１は、圧板部３０と一体に樹脂成型された弾性片であり、圧板部３０の脇から突出する矢印Ｍ方向（圧板部３０の回動方向Ｅ，Ｆに対して交差する方向）に撓むようになっている。圧板部係合片５１の先端部には、係合孔５１ａが形成されている。上フレーム突片５２も、上フレーム２２０Ａと一体に樹脂成型された弾性片であり、上フレーム２２０Ａの脇の内側の矢印Ｎ方向に撓むようになっている。上フレーム突片５２の先端部には、係合爪５２ａが外側に向けて突設されている。なお、矢印Ｍ，Ｎの方向は、矢印Ａ，Ｂ，Ｅ，Ｆに対して交差する方向である。
【００２２】
図３、図５に示すように、圧板部３０と上フレーム２２０Ａとが、起こされて下フレーム２１０Ａが開かれているとき、図６に示すように、圧板部係合片５１の係合孔５１ａと上フレーム突片５２の係合爪５２ａとは、互いに係合している。
【００２３】
図５において、圧板ヒンジ４０Ａ，４０Ｂが原稿台ヒンジ２３０の後方（奥側）で、かつ原稿台ヒンジ２３０より上方に位置している。このため、圧板ヒンジ４０Ａ，４０Ｂと圧板部係合片５１との距離Ｌ１は、原稿台ヒンジ２３０と上フレーム突片５２との距離Ｌ２より短くなっている（Ｌ１＜Ｌ２）。
【００２４】
この距離関係によって、圧板部係合片５１と上フレーム突片５２との係合が外れて、図４のように、下フレーム２１０Ａを閉めた上フレーム２２０Ａに圧板部３０が重なると、圧板部係合片５１が上フレーム２２０Ａの脇に当接することになる。このため、圧板部係合片５１が上フレーム２２０Ａの脇に当接しないように、上フレーム２２０Ａの脇には、逃げ凹部５３が形成されている。
【００２５】
画像読取装置２が原稿を読み取る動作を説明する。
【００２６】
画像読取装置２は、使用しないとき、図１、図４に示すように、原稿台２０の上に圧板部３０が重なっている。このとき、連結部５０の圧板部係合片５１は、上フレーム２２０Ａの逃げ凹部５３に進入している。
【００２７】
ユーザは、画像読取装置２を使用するとき、図２のように、圧板部３０を矢印Ａ方向に回動させて、原稿台２０の上部を開いて、原稿台２０の上部を開放した状態にする。圧板部３０は、圧板ヒンジ４０Ａ，４０Ｂを中心にして回動する。そして、ユーザは、原稿台ガラス２２１の上に原稿Ｐを載置して、圧板部３０を矢印Ｂ方向に回動させて、原稿台２０の上部を閉める。圧板部３０は、白色板３１で原稿Ｐを原稿台ガラス２２１に押し付けて、密着させる。
【００２８】
その後、ユーザによって画像形成装置１のスタート釦が押されると、不図示のモータが回動してベルト２１２（図３）が循環する。すると、読取センサ２１３が、図３の位置から、ガイド軸２１１を案内にして、矢印Ｃ方向へ移動し、原稿の画像を読み取る。画像を読み取った読取センサ２１３は、矢印Ｄ方向へ移動して元の位置に戻る。画像読取装置２が読み取った画像情報は、装置本体１Ａにおいて、シートに複写される。最後、ユーザは、圧板部３０を再度矢印Ａ方向に回動させて、原稿台２０の上部を開き、原稿を原稿台ガラス２２１から取り除く。そして、ユーザは、圧板部３０を矢印Ｂ方向に回動させて、原稿台２０を閉めることによって、一連の読取動作が終了する。
【００２９】
以上の構成において、下フレーム２１０Ａ内のメンテナンスを行う際の上フレーム２２０Ａの開閉動作を説明する。下フレーム２１０Ａ内のメンテナンスとして、読取センサ２１３やベルト２１２等の交換がある。
【００３０】
メンテナンスを行うには、まず、図２のように、圧板部３０を、圧板ヒンジ４０Ａ，４０Ｂを中心にして、矢印Ａ方向に起こして、原稿台２０を開く。次に、上フレーム２２０Ａと下フレーム２１０Ａとを締結しているビス６０を外し、上フレーム２２０Ａを下フレーム２１０Ａから分離できるようにする。
【００３１】
そして、図３、図５に示すように、上フレーム２２０Ａを、原稿台ヒンジ２３０を中心に矢印Ｅ方向に回動させて、下フレーム２１０Ａを開き、圧板部３０に接近させて、重ねる。すると、図６に示すように、上フレーム突片５２が圧板部係合片５１に接近し、圧板部係合片５１が矢印Ｍ方向に撓み、上フレーム突片５２が矢印Ｎ方向に撓んだ後、係合爪５２ａと係合孔５１ａとが互いに係合する。これによって、上フレーム２２０Ａと圧板部３０が、連結部５０によって連結されて、倒れが防止される。
【００３２】
次に、上フレーム２２０Ａと圧板部３０が、連結部５０によって連結されることによって、倒れが防止されることを説明する。
【００３３】
圧板部３０の回動中心である圧板ヒンジ４０Ａ，４０Ｂの位置は、上フレーム２２０Ａの回動中心である原稿台ヒンジ２３０の位置より後方（奥側）に設定されている。そして、原稿台ヒンジ２３０より上方に設定されている。そして、連結部５０の圧板部係合片５１と上フレーム突片５２は、圧板部３０と上フレーム２２０Ａとが重なって起立した状態における同じ位置に設けてある。このため、圧板部係合片５１は、圧板ヒンジ４０Ａ，４０Ｂから距離Ｌ１の位置に設けられ、上フレーム突片５２を、原稿台ヒンジ２３０から距離Ｌ２の位置に設けられている。そして、Ｌ１＜Ｌ２の関係にある。なお、矢印Ａ，Ｂの破線は、圧板部係合片５１の軌跡である。矢印Ｅ，Ｆの破線は、上フレーム突片５２の軌跡である。
【００３４】
図５において、圧板ヒンジ４０Ａ，４０Ｂと原稿台ヒンジ２３０と連結部５０は、３つのリンクを三角形に連結している位置にある。すなわち、圧板ヒンジ４０Ａ，４０Ｂと原稿台ヒンジ２３０は、固定部材としての下フレーム２１０Ａに設けられている。この下フレーム２１０Ａを第１のリンクとする。そして、原稿台ヒンジ２３０と連結部５０とが上フレーム２２０Ａに設けられている。この上フレーム２２０Ａを第２のリンクとする。さらに、連結部５０と圧板ヒンジ４０Ａ，４０Ｂとが圧板部３０に設けられている。この圧板部３０を第３のリンクとする。したがって、圧板ヒンジ４０Ａ，４０Ｂは、第１のリンクと第３のリンクとを接続し、原稿台ヒンジ２３０は、第１のリンクと第２のリンクとを接続し、連結部５０は、第２のリンクと第３のリンクとを接続している。したがって、圧板ヒンジ４０Ａ，４０Ｂと原稿台ヒンジ２３０と連結部５０は、３つのリンクを三角形に連結していることになり、重なって起立した圧板部３０と上フレーム２２０Ａが倒れるのを防止していることになる。
【００３５】
よって、ユーザは、下フレーム２１０Ａ内のメンテナンスを容易に行うことができる。また、圧板部３０と上フレーム２２０Ａは、重なって起立している。このため、上フレーム２２０Ａの原稿台ガラス２２１に白色板３１が密着して、メンテナンス中に原稿台ガラス２２１と白色板３１との間に塵埃が落下して侵入するのを阻止して、原稿台ガラス２２１に傷が付くのを防止することができる。
【００３６】
なお、図５において、下フレーム２１０Ａに対する圧板部３０と上フレーム２２０Ａとの起立角αは、約９０度であるが、連結部５０を圧板部係合片５１と上フレーム突片５２とに設ける位置によっては、９０度以外の角度に設定することができる。したがって、起立角αは、９０度に限定されるものではない。
【００３７】
下フレーム２１０Ａ内のメンテナンスが終了すると、ユーザは、連結部５０の係合を外して、上フレーム２２０Ａを下フレーム２１０Ａに重ねて、組立ビス６０で、上フレーム２２０Ａと下フレーム２１０Ａとを一体化する。最後、圧板部３０で原稿台２０を閉めて、一連のメンテナンスを終了する。
【００３８】
なお、連結部は、図７の連結部１５０のように、圧板部３０の脇に突設した軸１５１に回動自在に設けた連結リンク１５２と、連結リンク１５２に形成された角孔１５３と、上フレーム２２０Ａの脇に突設されて、角孔に係合する角軸１５４とで構成してもよい。この場合、連結リンク１５２が、角孔１５３と角軸１５４との係合によって上フレーム２２０Ａに対して回動止めされているので、連結リンク１５２と上フレーム２２０Ａは、一体化された第２のリンクになる。したがって、図７の連結部１５０を使用した場合も、圧板ヒンジ４０Ａ，４０Ｂと原稿台ヒンジ２３０と連結部１５０が、３つのリンクを三角形に連結している構成になっており、起立した圧板部３０と上フレーム２２０Ａとの倒れを防止できる。なお、連結リンク１５２に角孔１５３を破線のように複数設けると、上フレーム２２０Ａの起立角αを、メンテナンスを行い易いように変更することができる。
【００３９】
なお、図１乃至図７に基づいて説明した圧板ヒンジ４０Ａ，４０Ｂは、原稿台ヒンジ２３０の後方（奥側）で、かつ原稿台ヒンジ２３０より上方に位置している。しかし、図８に示す圧板ヒンジ３４０Ａ，３４０Ｂのように、原稿台ヒンジ２３０の後方（奥側）に設けるが、上方に設けなくてもよい。この場合、圧板部３３０の後端部（一端部）３３０ａは、図４に示す圧板部３０の後端部３０ａより下方に位置している。この場合、圧板部３３０と上フレーム２２０Ａとを起立させたとき、圧板部３３０は上フレーム２２０Ａに対して、傾いている。このため、連結部３５０の上フレーム突片３５２と、上フレーム突片３５２に形成された上フレーム係合片３５２ａは、上フレーム２２０Ａに対して傾斜している。圧板部係合片３５１と係合孔３５１ａは、図５の圧板部係合片５１と係合孔５１ａと同様の向きに形成されている。このように、圧板ヒンジ３４０Ａ，３４０Ｂを上方に位置させなくても、圧板部３３０を開閉回動させることができるので、圧板ヒンジ３４０Ａ，３４０Ｂは、図５と異なって、必ずしも、上方に設ける必要が無い。
【００４０】
なお、図８においても、下フレーム２１０Ａに対する上フレーム２２０Ａとの起立角αは、約９０度であるが、連結部３５０を圧板部係合片３５１と上フレーム突片３５２とに設ける位置によっては、９０度以外の角度に設定することができる。また、連結部３５０の代わりに図７に示す連結部１５０を使用してもよい。
【００４１】
以上、説明した、上フレーム２２０Ａは、組立ビス６０によって下フレーム２１０Ａに取付けられている。図９乃至図１４に示す連結部４５０は、圧板部３０と上フレーム２２０Ａとを連結する機能の他に、メンテナンスを行わないときには、上フレーム２２０Ａを下フレーム２１０Ａに連結する機能も備えている。
【００４２】
以下、図９乃至図１４に示す連結部４５０を説明する。
【００４３】
なお、図９乃至図１４の、原稿台の下フレーム及び上フレームと、圧板部は、図１乃至図６の、原稿台の下フレーム及び上フレームと、圧板部と比較して、連結部４５０に関係する部分の形状のみが異なっており、全体的には、形状が殆ど同一である。このため、図１乃至図６における、原稿台の下フレーム及び上フレームと、圧板部との符号を、図９乃至１４における、原稿台の下フレーム及び上フレームと、圧板部との符号にそのまま使用することとする。
【００４４】
連結部４５０は、図９乃至図１２に示すように、上フレーム２２０Ａの側板２２０Ａｂの内側に設けられている。図１２において、連結部４５０は、連結フック（係合部材）４５１と、捩じりばね４５２等で構成されている。連結フック４５１は、Ｌ字状に形成されて、Ｌ字状の角の部分に軸４５３が設けられている。軸４５３の両端は、上フレーム２２０Ａの側板２２０Ａｂの内側に突設された１対の支持片４５４（図１１）に回動自在に支持されている。
【００４５】
連結フック４５１は、互いに直角な、下フレーム係合片４５１Ａと、圧板部係合片４５１Ｂとで形成されている。下フレーム係合片４５１Ａには、下フレーム２１０Ａの側板２１０Ａｂに形成された係合孔（第１の被係合部）２１４に係脱可能に係合する下フレーム係合爪４５１Ａａが形成されている。また、圧板部係合片４５１Ｂには、圧板部３０の側板３０ｃの内側に離れて設けられた被係合片３２（図１３（Ａ））に係合する圧板部係合爪４５１Ｂａが形成されている。
【００４６】
図９に示すように、上フレーム２２０Ａが下フレーム２１０Ａを閉めている状態は、図１２に示すように、連結フック４５１の下フレーム係合爪４５１Ａａが下フレーム２１０Ａの係合孔２１４に係合して維持されている。この場合、連結フック４５１は、捩じりばね４５２によって、下フレーム係合爪４５１Ａａが下フレーム２１０Ａの側板２１０Ａｂ側に（矢印Ｕ方向に）回動付勢されているため、下フレーム係合爪４５１Ａａが下フレーム２１０Ａから外れることがない。
【００４７】
下フレーム２１０Ａ内をメンテナンスのため、上フレーム２２０Ａを開くには、下フレーム係合爪４５１Ａａを下フレーム２１０Ａから外す必要がある。それには、上フレームの側板２１０Ａｂに貫通して形成された係合解除孔２２２に軸状の工具Ｔを差し込む。係合解除孔２２２は、連結フック４５１の下フレーム係合片４５１Ａに対向して形成してある。このため、係合解除孔２２２に工具Ｔを差し込むと、連結フック４５１が、捩じりばね４５２に抗して矢印Ｖ方向に押されて回動し、下フレーム係合爪４５１Ａａが下フレーム２１０Ａの係合孔２１４から外れる。この結果、上フレーム２２０Ａで、下フレーム２１０Ａを開くことができる。上フレーム２２０Ａで、下フレーム２１０Ａを開くと、連結フック４５１は、捩じりばね４５２によって、矢印Ｕ方向に戻り回動して、上フレーム２２０Ａの側板２２０Ａｂに受け止められて回動規制される。すなわち、連結フック４５１は、図１２（Ｂ）に示す姿勢に回動規制される。
【００４８】
そして、連結フック４５１は、図１２（Ｂ）に示す姿勢のまま、既に、起こされている図９の圧板部３０に、上フレーム２２０Ａと共に、図１０に示すように接近する。しかし、連結フック４５１の圧板部係合片４５１Ｂが図１３（Ａ）に示す、圧板部３０の側板３０ｃと被係合片３２との隙間Ｓに進入して、圧板部係合爪４５１Ｂａが被係合片３２の被係合孔３２ａに係合しなければならない。このため、連結フック４５１は、図１２（Ｂ）に示す姿勢のままでは、圧板部係合片４５１Ｂが圧板部３０の側板３０ｃと被係合片３２との間Ｓに進入することができない。
【００４９】
そこで、ユーザが、図１３（Ｂ）に示すように、連結フック４５１を、捩じりばね４５２に抗して矢印Ｖ方向に回動させる。連結フック４５１が矢印Ｖ方向に回動すると、上フレーム２２０Ａに形成された開口部２２３（図１２（Ａ））から、圧板部係合片４５１Ｂが上向きに突出して、圧板部３０の側板３０ｃと被係合片３２との隙間Ｓに進入できる向きになる。
【００５０】
図１４（Ａ）に示すように、上フレーム２２０Ａが圧板部３０に重なって、圧板部係合片４５１Ｂが隙間Ｓに進入した時点で、ユーザが、連結フック４５１を押さえていた指を離す。すると、連結フック４５１が捩じりばね４５２によって矢印Ｕ方向に回動し、図１４（Ｂ）に示すように、圧板部係合爪４５１Ｂａが被係合孔（第２の被係合部）３２ａに進入して係脱可能に係合する。図１１は、連結フック４５１が図１４（Ｂ）の状態になっているとき、図１０の矢印Ｑから見た図である。これによって、図１０に示すように、上フレーム２２０Ａと圧板部３０とが重なった状態に維持されて、下フレーム２１０Ａ内のメンテナンスを容易に行える。
【００５１】
下フレーム２１０Ａ内のメンテナンスの終了後、連結フック４５１を図１４（Ｂ）に示す状態から矢印Ｖ方向に回動させて、図１４（Ａ）に示すように、圧板部係合爪４５１Ｂａを被係合孔３２ａから外して、上フレーム２２０Ａを下フレーム２１０Ａに重ねる。この時点で、連結フック４５１は、捩じりばね４５２によって、図１２（Ｂ）に示す姿勢に戻っている。上フレーム２２０Ａを下フレーム２１０Ａに押圧すると、図１２に示すように、連結フック４５１の下フレーム係合爪４５１Ａａが係合孔２１４に係合して、上フレーム２２０Ａと下フレーム２１０Ａとが一体化された状態に維持される。
【００５２】
以上の説明では、読取部２１０と原稿載置部２２０とは、直接、重なっている場合について説明をしたが、間に、パッキン、スペーサ、補強用のフレーム等の介在物を介在させて重ねてもよい。また、圧板部３０，３３０と原稿載置部２２０との間に白色板３１が介在しているが、白色板３１は、必ずしも必要としない。よって、特許請求の範囲における「読取部の上方に配置」、或いは「原稿載置部の上方に配置」の上方は、読取部２１０と原稿載置部２２０とが、或いは圧板部３０，３３０と原稿載置部２２０とが直接的、間接的、いずれの状態で重なっていても、含むものとする。
【００５３】
以上説明した連結部５０，１５０，３５０，４５０は、図には、画像読取装置２の片側にしか設けていないが、両側に設けられていてもよい。むしろ、両側に設けられている方が好ましい。
【００５４】
以上、説明したように、連結部５０，１５０，３５０，４５０は、圧板部３０と上フレーム２２０Ａとを連結する機能の他に、メンテナンスを行わないときには、上フレーム２２０Ａを下フレーム２１０Ａに連結する機能も備えている。このため、上フレーム２２０Ａと下フレーム２１０Ａとを一体化する取付けねじが不要である。また、下フレーム２１０Ａ内のメンテナンスを行うのに、組立ビスの取外し、ねじ込み作業が不要になり、メンテナンスを容易に行えるようになる。
【００５５】
以上、本発明の最良の実施形態を具体的に説明したが、本発明は上記実施形態に限定されるものではなく、その要旨を逸脱しない範囲で種々変形可能である。
【符号の説明】
【００５６】
１：画像形成装置、１Ａ：画像形成装置の装置本体、２：画像読取装置、２０：原稿台、２１０：読取部、２１０Ａ：下フレーム、２１４：係合孔（第１の被係合部）、２２０：原稿載置部、２２０Ａ：上フレーム、２２０Ａａ：上フレームの後端部（一端部）、２３０：原稿台ヒンジ（第１の支持部）、３０，３３０：圧板部（原稿押圧部）、３０ａ，３３０ａ：後端部（一端部）、３２：被係合片、３２ａ：被係合孔（第２の被係合部）、４０Ａ，４０Ｂ，３４０Ａ，３４０Ｂ：圧板ヒンジ（第２の支持部）、５０，１５０，３５０，４５０：連結部、４５１：連結フック（係合部材）、Ｐ：原稿。
【図１】
2016006928.tif 000003
【図２】
2016006928.tif 000004
【図３】
2016006928.tif 000005
【図４】
2016006928.tif 000006
【図５】
2016006928.tif 000007
【図６】
2016006928.tif 000008
【図７】
2016006928.tif 000009
【図８】
2016006928.tif 000010
【図９】
2016006928.tif 000011
【図１０】
2016006928.tif 000012
【図１１】
2016006928.tif 000013
【図１２】
2016006928.tif 000014
【図１３】
2016006928.tif 000015
【図１４】
2016006928.tif 000016